(57)【特許請求の範囲】
【請求項１】
ケーブル収容装置と、管理装置とを備え、
前記ケーブル収容装置は、
複数のケーブル差込口がマトリクス状に配置されると共に、前記複数のケーブル差込口のそれぞれに対応付けて発光素子が配置された配線盤と、
前記ケーブル差込口が配置されている行毎の行照明手段であって、駆動時には自手段に対応する行を照明する行照明手段と、
前記ケーブル差込口が配置されている列毎の列照明手段であって、駆動時には自手段に対応する列を照明する列照明手段と、
前記管理装置から送られてくる、ケーブルの接続対象あるいは抜去対象にする作業対象ケーブル差込口を示す作業指示に応答して、前記作業対象ケーブル差込口と対応する発光素子を駆動すると共に、前記作業対象ケーブル差込口を含まない行および列に対応する行照明手段および列照明手段を駆動する収容装置側制御手段とを備え、
前記管理装置は、
前記ケーブル収容装置に対して、ケーブルの接続対象あるいは抜去対象にする作業対象ケーブル差込口を示す作業指示を送信する管理装置側制御手段を備えたことを特徴とする誤作業防止システム。
【請求項２】
請求項１記載の誤作業防止システムにおいて、
前記ケーブル収容装置は、
前記ケーブル差込口が配置されている行毎の行遮断検出手段であって、行の一端側に配置された行遮断検出用発光素子および前記行の他端側に前記行遮断検出用発光素子と対向配置された行遮断検出用受光素子から構成される行遮断検出手段と、
前記ケーブル差込口が配置されている列毎の列遮断検出手段であって、列の一端側に配置された列遮断検出用発光素子および前記列の他端側に前記列遮断検出用発光素子と対向配置された列遮断検出用受光素子から構成される列遮断検出手段と、
警報を発する警報手段とを備え、且つ、
前記収容装置側制御手段は、前記作業指示に応答して、前記作業対象ケーブル差込口を含まない行および列に対応する行遮断検出用発光素子および列遮断検出用発光素子を駆動し、その後、駆動した行遮断検出用発光素子および列遮断検出用発光素子と対向配置されている行遮断検出用受光素子および列遮断検出用受光素子の何れかが受光できなくなったとき、前記警報手段を駆動することを特徴とする誤作業防止システム。
【請求項３】
請求項１または２記載の誤作業防止システムにおいて、
前記ケーブル収容装置は、前記ケーブル差込口毎の差抜検出手段であって、対応するケーブル差込口へのケーブルの接続および対応するケーブル差込口からのケーブルの抜去を検出する差抜検出手段を備え、
前記管理装置は、前記ケーブル差込口毎の実装情報であって、そのケーブル差込口にケーブルが接続されているか否かを示す実装情報が記録される実装情報記憶部を備え、
前記収容装置側制御手段は、前記差抜検出手段の検出結果を前記管理装置へ送信し、
前記管理装置側制御手段は、ユーザからの表示指示に従って前記実装情報記憶部に記録されている前記各ケーブル差込口の実装情報を表示部に表示し、前記収容装置側制御手段から送られてくる検出結果に従って前記実装情報記憶部に記録されている実装情報を更新することを特徴とする誤作業防止システム。
【請求項４】
請求項３記載の誤作業防止システムにおいて、
前記管理装置側制御手段は、ユーザからの実装情報に対する更新指示が、実装情報を運用中あるいはケーブル抜去可能を示すものに更新することを指示するものである場合は、更新前の実装情報がケーブル接続中を示しているか否かを判定し、ケーブル接続中を示している場合は、前記更新指示に従って実装情報を更新し、ケーブル未接続を示している場合は、前記表示部にエラー表示を行うことを特徴とする誤作業防止システム。
【請求項５】
請求項１乃至４の何れか１項に記載の誤作業防止システムにおいて、
前記収容装置側制御手段は、前記管理装置から送られてくる、運用中のケーブルが接続されているケーブル差込口のＩＤを含んだ作業完了通知に応答して、前記ＩＤによって示されるケーブル差込口に対応する発光素子の発光形態を運用中を示すものに変更することを特徴とする誤作業防止システム。
【請求項６】
複数のケーブル差込口がマトリクス状に配置されると共に、前記複数のケーブル差込口のそれぞれに対応付けて発光素子が配置された配線盤と、
前記ケーブル差込口が配置されている行毎の行照明手段であって、駆動時には自手段に対応する行を照明する行照明手段と、
前記ケーブル差込口が配置されている列毎の列照明手段であって、駆動時には自手段に対応する列を照明する列照明手段と、
ケーブルの接続対象あるいは抜去対象にする作業対象ケーブル差込口を示す作業指示に応答して、前記作業対象ケーブル差込口と対応する発光素子を駆動すると共に、前記作業対象ケーブル差込口を含まない行および列に対応する行照明手段および列照明手段を駆動する制御手段とを備えたことを特徴とするケーブル収容装置。
【請求項７】
請求項６記載のケーブル収容装置において、
前記ケーブル差込口が配置されている行毎の行遮断検出手段であって、行の一端側に配置された行遮断検出用発光素子および前記行の他端側に前記行遮断検出用発光素子と対向配置された行遮断検出用受光素子から構成される行遮断検出手段と、
前記ケーブル差込口が配置されている列毎の列遮断検出手段であって、列の一端側に配置された列遮断検出用発光素子および前記列の他端側に前記列遮断検出用発光素子と対向配置された列遮断検出用受光素子から構成される列遮断検出手段と、
警報を発する警報手段とを備え、且つ、
前記制御手段は、前記作業指示に応答して、前記作業対象ケーブル差込口を含まない行および列に対応する行遮断検出用発光素子および列遮断検出用発光素子を駆動し、その後、駆動した行遮断検出用発光素子および列遮断検出用発光素子と対向配置されている行遮断検出用受光素子および列遮断検出用受光素子の何れかが受光できなくなったとき、前記警報手段を駆動することを特徴とするケーブル収容装置。
【請求項８】
複数のケーブル差込口がマトリクス状に配置されると共に、前記複数のケーブル差込口のそれぞれに対応付けて発光素子が配置された配線盤と、前記ケーブル差込口が配置されている行毎の行照明手段であって、駆動時には自手段に対応する行を照明する行照明手段と、前記ケーブル差込口が配置されている列毎の列照明手段であって、駆動時には自手段に対応する列を照明する列照明手段と、制御手段とを備えたコンピュータが実行する誤作業防止方法であって、
前記制御手段が、ケーブルの接続対象あるいは抜去対象にする作業対象ケーブル差込口を示す作業指示に応答して、前記作業対象ケーブル差込口と対応する発光素子を駆動すると共に、前記作業対象ケーブル差込口を含まない行および列に対応する行照明手段および列照明手段を駆動することを特徴とする誤作業防止方法。
【請求項９】
複数のケーブル差込口がマトリクス状に配置されると共に、前記複数のケーブル差込口のそれぞれに対応付けて発光素子が配置された配線盤と、前記ケーブル差込口が配置されている行毎の行照明手段であって、駆動時には自手段に対応する行を照明する行照明手段と、前記ケーブル差込口が配置されている列毎の列照明手段であって、駆動時には自手段に対応する列を照明する列照明手段とを備えたコンピュータに誤作業防止処理を実行させるためのプログラムであって、
前記コンピュータに、ケーブルの接続対象あるいは抜去対象にする作業対象ケーブル差込口を示す作業指示に応答して、前記作業対象ケーブル差込口と対応する発光素子を駆動すると共に、前記作業対象ケーブル差込口を含まない行および列に対応する行照明手段および列照明手段を駆動する処理を実行させるためのプログラム。
【請求項１０】
請求項９記載のプログラムにおいて、
前記コンピュータは、前記ケーブル差込口が配置されている行毎の行遮断検出手段であって、行の一端側に配置された行遮断検出用発光素子および前記行の他端側に前記行遮断検出用発光素子と対向配置された行遮断検出用受光素子から構成される行遮断検出手段と、前記ケーブル差込口が配置されている列毎の列遮断検出手段であって、列の一端側に配置された列遮断検出用発光素子および前記列の他端側に前記列遮断検出用発光素子と対向配置された列遮断検出用受光素子から構成される列遮断検出手段と、警報を発する警報手段とを備え、且つ、
前記コンピュータに、前記作業指示に応答して、前記作業対象ケーブル差込口を含まない行および列に対応する行遮断検出用発光素子および列遮断検出用発光素子を駆動し、その後、駆動した行遮断検出用発光素子および列遮断検出用発光素子と対向配置されている行遮断検出用受光素子および列遮断検出用受光素子の何れかが受光できなくなったとき、前記警報手段を駆動する処理を実行させるためのプログラム。
【発明の詳細な説明】
【技術分野】
【０００１】
本発明は、光成端架などのケーブル収容装置において、ケーブルの誤接続や誤抜去を防止する誤作業防止技術に関する。
【背景技術】
【０００２】
光成端架などのケーブル収容装置は、ケーブルの端部に取り付けられたプラグコネクタが差し込まれるソケットコネクタ（ケーブル差込口）を備えており、このケーブル差込口にプラグコネクタを差し込むことにより、ケーブルがケーブル収容装置に接続される。
【０００３】
ところで、ケーブル収容装置にケーブルを接続する場合は、一般的には、次のようにしている。先ず、作業員が設計図面に基づいてケーブルを接続するケーブル差込口を確認し、テープでマーキングする。その後、作業員はマーキングされているケーブル差込口に接続対象ケーブルを接続する。また、ケーブル収容装置からケーブルを抜去する場合にも、抜去対象にするケーブルが接続されているケーブル差込口をテープでマーキングし、その後、マーキングされているケーブル差込口からケーブルを抜去する。
【０００４】
しかし、上記した一般的な接続、抜去方法は、作業員が作業対象とするケーブル差込口をテープでマーキングしなければならないため、手間がかかるという問題がある。
【０００５】
そこで、このような問題を解決するため、各ケーブル差込口の近傍に発光素子を配置しておき、ケーブルの接続、抜去時には、作業対象とするケーブル差込口の近傍に配置されている発光素子を発光させるという技術が提案された（例えば、特許文献１，２参照）。
【先行技術文献】
【特許文献】
【０００６】
【特許文献１】特開２００５−１８２２４５号公報
【特許文献２】特開２００７−２３２９６０号公報
【発明の概要】
【発明が解決しようとする課題】
【０００７】
上記した特許文献１，２に記載されている技術によれば、作業員はテープによるマーキング作業を行う必要がなくなるので、接続、抜去作業時の手間が低減される。しかし、特許文献１，２に記載されている技術は、作業対象にするケーブル差込口の近傍に配置されている発光素子を発光させるだけであるので、作業員が作業対象にするケーブル差込口を誤認識してしまう危険性がある。例えば、図１２に示すように、ケーブル差込口200a用の発光素子100aを発光させた場合、その上側に設けられているケーブル差込口200bを作業対象のケーブル差込口と誤認識してしまう危険性がある。
【０００８】
[発明の目的]
そこで、本発明の目的は、作業員が作業対象にするケーブル差込口を誤認識してしまう危険性があるという課題を解決することにある。
【課題を解決するための手段】
【０００９】
本発明に係る誤作業防止システムは、
ケーブル収容装置と、管理装置とを備え、
前記ケーブル収容装置は、
複数のケーブル差込口がマトリクス状に配置されると共に、前記複数のケーブル差込口のそれぞれに対応付けて発光素子が配置された配線盤と、
前記ケーブル差込口が配置されている行毎の行照明手段であって、駆動時には自手段に対応する行を照明する行照明手段と、
前記ケーブル差込口が配置されている列毎の列照明手段であって、駆動時には自手段に対応する列を照明する列照明手段と、
前記管理装置から送られてくる、ケーブルの接続対象あるいは抜去対象にする作業対象ケーブル差込口を示す作業指示に応答して、前記作業対象ケーブル差込口と対応する発光素子を駆動すると共に、前記作業対象ケーブル差込口を含まない行および列に対応する行照明手段および列照明手段を駆動する収容装置側制御手段とを備え、
前記管理装置は、
前記ケーブル収容装置に対して、ケーブルの接続対象あるいは抜去対象にする作業対象ケーブル差込口を示す作業指示を送信する管理装置側制御手段を備える。
【００１０】
本発明にかかるケーブル収容装置は、
複数のケーブル差込口がマトリクス状に配置されると共に、前記複数のケーブル差込口のそれぞれに対応付けて発光素子が配置された配線盤と、
前記ケーブル差込口が配置されている行毎の行照明手段であって、駆動時には自手段に対応する行を照明する行照明手段と、
前記ケーブル差込口が配置されている列毎の列照明手段であって、駆動時には自手段に対応する列を照明する列照明手段と、
ケーブルの接続対象あるいは抜去対象にする作業対象ケーブル差込口を示す作業指示に応答して、前記作業対象ケーブル差込口と対応する発光素子を駆動すると共に、前記作業対象ケーブル差込口を含まない行および列に対応する行照明手段および列照明手段を駆動する制御手段とを備える。
【００１１】
本発明にかかる誤作業防止方法は、
複数のケーブル差込口がマトリクス状に配置されると共に、前記複数のケーブル差込口のそれぞれに対応付けて発光素子が配置された配線盤と、前記ケーブル差込口が配置されている行毎の行照明手段であって、駆動時には自手段に対応する行を照明する行照明手段と、前記ケーブル差込口が配置されている列毎の列照明手段であって、駆動時には自手段に対応する列を照明する列照明手段と、制御手段とを備えたコンピュータが実行する誤作業防止方法であって、
前記制御手段が、ケーブルの接続対象あるいは抜去対象にする作業対象ケーブル差込口を示す作業指示に応答して、前記作業対象ケーブル差込口と対応する発光素子を駆動すると共に、前記作業対象ケーブル差込口を含まない行および列に対応する行照明手段および列照明手段を駆動する。
【００１２】
本発明にかかるプログラムは、
複数のケーブル差込口がマトリクス状に配置されると共に、前記複数のケーブル差込口のそれぞれに対応付けて発光素子が配置された配線盤と、前記ケーブル差込口が配置されている行毎の行照明手段であって、駆動時には自手段に対応する行を照明する行照明手段と、前記ケーブル差込口が配置されている列毎の列照明手段であって、駆動時には自手段に対応する列を照明する列照明手段とを備えたコンピュータに誤作業防止処理を実行させるためのプログラムであって、
前記コンピュータに、ケーブルの接続対象あるいは抜去対象にする作業対象ケーブル差込口を示す作業指示に応答して、前記作業対象ケーブル差込口と対応する発光素子を駆動すると共に、前記作業対象ケーブル差込口を含まない行および列に対応する行照明手段および列照明手段を駆動する処理を実行させる。
【発明の効果】
【００１３】
本発明によれば、作業員が作業対象にするケーブル差込口を誤認識してしまうという危険性を極めて少なくすることができる。
【図面の簡単な説明】
【００１４】
【図１】本発明にかかる誤作業防止システムの構成例を示すブロック図である。
【図２】光成端架１−１の外観を示す斜視図である。
【図３】光成端架１−１が備えているケーブル差込口１０４と、ＬＥＤ１０５、開口部１０６、レーザ１０７、可視光線放射部１０８、受光素子１０９およびセンサ１１０との位置関係を示す図である。
【図４】可視光線放射部１０８を駆動した時の照明状態を説明するための図である。
【図５】光成端架１−１の内部構成を示すブロック図である。
【図６】管理装置２の構成例を示すブロック図である。
【図７】フロアー情報記憶部２０４の内容例を示す図である。
【図８】光成端架実装情報記憶部２０５の内容例を示す図である。
【図９】作業対象光成端架情報記憶部２０６の内容例を示す図である。
【図１０】誤作業防止システムの処理例を示すフローチャートである。
【図１１】ケーブル差込口Ａ３２，Ａ３５が作業対象のケーブル差込口となったときのＬＥＤ１０５、可視光線放射部１０８およびレーザ１０７の状態を示すための図である。
【図１２】発明が解決しようとする課題を説明するための図である。
【発明を実施するための形態】
【００１５】
次に、本発明の実施の形態について、図面を参照して詳細に説明する。
【００１６】
[本発明の第１の実施の形態]
図１を参照すると、本発明にかかる誤作業防止システムにかかる第１の実施の形態は、複数の光成端架１−１〜１−ｎと、管理装置２とを備え、それらはインターネット等のネットワーク３を介して相互に接続されている。
【００１７】
図２を参照すると、光成端架１−１の筐体前面には、自光成端架が作業対象となる光成端架である場合に点灯し、そのことを作業員に知らせるための作業箇所ランプ１０１と、作業員が誤接続や誤抜去を行いそうになったときに警告音を発するスピーカ１０２とが設けられている。更に、光成端架１−１の前面には、凹部が設けられ、その底面は配線盤１０３となっている。
【００１８】
配線盤１０３には、光ケーブルを接続するケーブル差込口１０４がマトリクス状に配置されている。また、各ケーブル差込口１０４の近傍には、そのケーブル差込口が作業対象のケーブル差込口である場合に点灯し、そのことを明示するための発光ダイオード（ＬＥＤ）１０５が設けられている。
【００１９】
また、上記凹部の上下左右の側面には、開口部１０６が設けられている。開口部１０６は、ケーブル差込口１０４が配置されている各行および各列に対応付けて配置されている。
【００２０】
図３（Ａ），（Ｂ）を参照すると、凹部の側面に設けられている開口部１０６の内、上側および左側の側面に設けられている開口部１０６の近傍には、レーザ１０７と可視光線放射部１０８とが配置されている。また、下側および右側の側面に設けられている開口部１０６の近傍には、受光素子１０９が配置されている。また、配線盤１０３に設けられている各ケーブル差込口１０４に関連付けて、そのケーブル差込口１０４に光ケーブルが接続されているか否かを検出するセンサ１１０が設けられている。
【００２１】
同一行に配置されているレーザ１０７と受光素子１０９とは対向しており、レーザ１０７から出力された光が開口部１０６を介して受光素子１０９に入射するようになっている。また、同一列に配置されているレーザ１０７と受光素子１０９も対向しており、レーザ１０７から出力された光が開口部１０６を介して受光素子１０９に入射するようになっている。同一行に配置されているレーザ１０７と受光素子１０９との対により、レーザ光が遮断されたことを検出する行遮断検出手段が構成され、同一列に配置されているレーザ１０７と受光素子１０９との対により、レーザ光が遮断されたことを検出する列遮断検出手段が構成される。
【００２２】
後述するように、作業時には、各行および各列に配置されているレーザ１０７の内の、作業対象にするケーブル差込口１０４を含んでいない行および列に配置されているレーザ１０７が駆動される。従って、作業員が、作業対象ケーブル差込口以外の差込口に光ケーブルを接続しようとしたり、作業対象ケーブル差込口以外のケーブル差込口から光ケーブルを抜去しようとしたりした場合には、レーザ１０７から出力された光が作業員の手やプラグコネクタによって遮断され、受光素子１０９にレーザ光が入射されなくなるので、受光素子１０９の出力に基づいて、作業員が誤接続や誤抜去を行いそうか否かを判定することができる。なお、レーザ１０７および受光素子１０９は、ケーブル差込口１０４に接続されたケーブルによってレーザ光が遮断されないような位置に配置する必要がある。
【００２３】
各行に配置されている可視光線放射部１０８は、配線盤１０３上の対応する行部分を照明し、作業時に触れてはならないケーブル差込口１０４を明示するための行照明手段として機能する。例えば、図４に示すように、第２行目に配置されている可視光線放射部１０８は、配線盤３上の第２行目に対応する部分４１を照明する。また、各列に配置されている可視光線放射部１０８は、配線盤１０３上の対応する列部分を照明する列照明手段として機能する。可視光線放射部１０８は、例えば、レーザなどの発光素子と、レンズなどの光学系とを組み合わせることにより実現できる。尚、本実施の形態では、凹部の側面に設けられている開口部１０６の内の、上側および左側の側面に設けられている開口部１０６の近傍だけに可視光線放射部１０８を配置するようにしたが、下側および右側の側面に設けられている開口部１０６の近傍にも可視光線放射部１０８を配置するようにしてもよい。
【００２４】
図５を参照すると、光成端架１−１の内部には、送受信部１２０と、制御部１２１と、差抜検出部１２２と、可視光駆動部１２３と、ＬＥＤ駆動部１２４と、レーザ駆動部１２５と、遮断検出部１２６と、ランプ駆動部１２７と、スピーカ駆動部１２８とが設けられている。
【００２５】
送受信部１２０は、ネットワーク３を介して管理装置２とデータをやり取りする機能を有する。
【００２６】
制御部１２１は、光成端架１−１内の各部を制御するものであり、次のような機能を有する。
【００２７】
・管理装置２から自光成端架１−１に送られてくる、作業対象にするケーブル差込口の識別情報（ＩＤ）と、作業種別が光ケーブルの接続なのか抜去なのかを示す作業種別情報とを含んだ作業指示に応答して、可視光駆動部１２３、ＬＥＤ駆動部１２４、レーザ駆動部１２５、遮断検出部１２６、および、ランプ駆動部１２７を制御する機能。より具体的には、ランプ駆動部１２７に対しては、作業箇所ランプ１０１の点灯を指示する。可視光駆動部１２３、レーザ駆動部１２５、および、遮断検出部１２６に対しては、作業指示に含まれていたケーブル差込口のＩＤを渡す。また、ＬＥＤ駆動部１２４に対しては、作業指示に含まれていたケーブル差込口のＩＤと、作業種別情報とを渡す。
【００２８】
・遮断検出部１２６からの遮断検出通知に応答して、スピーカ駆動部１２８に対して警告音の出力を指示する機能。
【００２９】
・差抜検出部１２２からの接続検出通知（光ケーブルが接続されたケーブル差込口のＩＤを含む）に応答して、自光成端架１−１のＩＤと、上記接続検出通知に含まれているケーブル差込口のＩＤとを含んだ接続通知を管理装置２へ送信する機能。
【００３０】
・差抜検出部１２２からの抜去検出通知（光ケーブルが抜去されたケーブル差込口のＩＤを含む）に応答して、自光成端架１−１のＩＤと、上記抜去検出通知に含まれているケーブル差込口のＩＤとを含んだ抜去通知を管理装置２へ送信する機能。
【００３１】
・管理装置２からの作業完了通知に応答して、各駆動部１２３〜１２５に対して駆動停止を指示する機能。
【００３２】
以上が制御部１２１の備えている主な機能である。
【００３３】
差抜検出部１２２は、ケーブル差込口１０４毎に設けられているセンサ１１０の検出結果に基づいて、光ケーブルが差し込まれたケーブル差込口１０４を検出した場合は、そのケーブル差込口のＩＤを含んだ接続検出通知を制御部１２１に渡し、光ケーブルが抜去されたケーブル差込口１０４を検出した場合は、そのケーブル差込口のＩＤを含んだ抜去検出通知を制御部１２１に渡す機能を有する。
【００３４】
可視光駆動部１２３は、制御部１２１から渡されたケーブル差込口のＩＤによって示されるケーブル差込口１０４が配置されていない行および列の可視光線放射部１０８を駆動する機能を有する。
【００３５】
ＬＥＤ駆動部１２４は、制御部１２１から渡されたケーブル差込口のＩＤによって示されるケーブル差込口１０４に対応するＬＥＤ１０５を、制御部１２１から渡された作業種別情報に応じた発光形態で発光させる機能を有する。例えば、接続時と抜去時とでは、発光色を異なるものにしたり、点滅間隔を異なるものにしたりする。
【００３６】
レーザ駆動部１２５は、制御部１２１から渡されたケーブル差込口のＩＤによって示されるケーブル差込口１０４が配置されていない行および列のレーザ１０７を駆動する。
【００３７】
遮断検出部１２６は、制御部１２１から渡されたケーブル差込口のＩＤによって示されるケーブル差込口１０４を含まない行および列に配置されている受光素子１０９の中に、対向するレーザ１０７からのレーザ光を所定時間以上受光することができない受光素子が存在することを検出した場合、制御部１２１に対して遮断検出通知を出力する機能を有する。
【００３８】
ランプ駆動部１２７は、制御部１２１からの指示に従って作業箇所ランプ１０１を点灯、消灯する機能を有する。
【００３９】
スピーカ駆動部１２８は、制御部１２１からの指示に従ってスピーカ１０２から警告音を出力する機能を有する。
【００４０】
なお、制御部１２１、差抜検出部１２２および遮断検出部１２６は、ＣＰＵ（中央処理装置）によって実現可能であり、その場合は、例えば、次のようにする。ＣＰＵを制御部１２１、差抜検出部１２２および遮断検出部１２６として機能させるためのプログラムを記録したディスク、半導体メモリ、その他の記録媒体を用意し、ＣＰＵに上記プログラムを読み取らせる。ＣＰＵは、読み取ったプログラムに従って自身の動作を制御することにより、自ＣＰＵ上に制御部１２１、差抜検出部１２２および遮断検出部１２６を実現する。また、他の光成端架も光成端架１−１と同様の構成を有する。
【００４１】
図６を参照すると、光成端架１−１〜１−ｎを管理する管理装置２は、送受信部２０１と、制御部２０２と、ディスク装置などの記憶装置２０３と、キーボードなどの入力部２０７と、ＬＣＤなどの表示部２０８とを備えている。
【００４２】
記憶装置２０３には、フロアー情報記憶部２０４と、光成端架実装情報記憶部２０５と、作業対象成端架情報記憶部２０６とが設けられている。
【００４３】
フロアー情報記憶部２０４には、図７に示すように、フロアーを識別するためのフロアーＩＤに関連付けて、そのフロアーに設置されている光成端架のＩＤと設置位置とが記録されている。図７の例は、フロアー情報識別子ＦＩＤ１によって識別されるフロアーには、ＩＤが「ＨＩＤ１，ＨＩＤ２，…」の光成端架が設置され、その設置位置が「（ｘ１、ｙ１），（ｘ２、ｙ２），…」であることなどを示している。
【００４４】
光成端架実装情報記憶部２０５には、図８に示すように、光成端架を識別するための光成端架ＩＤに関連付けて、その光成端架が備えているケーブル差込口のＩＤと、実装情報と、接続相手なるケーブル差込口のＩＤ（光成端架の筐体内部の配線によって互いに接続されている、同一光成端架に設けられているケーブル差込口のＩＤ）とが記録されている。実装情報は、ケーブル差込口の状態を示すものであり、光ケーブルが接続され、既にEND-TO-ENDで疎通を確認していることを示す「運用中」と、光ケーブルは接続されているが、END-TO-ENDでの疎通は確認していないことを示す「接続使用可」と、光ケーブルが接続されていないことを示す「未使用」と、接続されている光ケーブルが抜去可能であることを示す「抜去可」とがある。図８の例は、光成端架ＩＤが「ＨＩＤ１」の光成端架は、ケーブル差込口ＩＤが「Ａ１１，Ａ１２，…」で、実装情報が「未使用、未使用、…」のケーブル差込口を備え、ＩＤ「Ａ１１」のケーブル差込口とＩＤ「Ａ１２」のケーブル差込口が、光成端架の筐体内の配線によって互いに接続されていることなどを示している。
【００４５】
作業対象光成端架情報記憶部２０６には、図９に示すように、作業を特定するための作業ＩＤに関連付けて、作業対象にする光成端架のＩＤと、ケーブル差込口のＩＤと、作業種別が接続なのか抜去なのかを示す作業種別情報とが記録されている。図９の例は、作業ＩＤが「ＳＩＤ１」の作業は、ＩＤが「ＨＩＤ１」の光成端架の、ＩＤが「Ａ３２，Ａ３５」のケーブル差込口への光ケーブルの接続作業を示している。
【００４６】
送受信部２０１は、ネットワーク３を介してデータをやり取りする機能を有する。
【００４７】
制御部２０２は、次のような機能を有する。
【００４８】
・フロアー情報記憶部２０４に記録されているフロアー情報の内の、作業指示者によって選択された作業対象にするフロアーのフロアー情報に基づいて、そのフロアーにおける各光成端架の設置位置を示すフロアー図面を表示部２０８に表示し、更に、作業指示者によって選択された光成端架の実装情報を光成端架実装情報記憶部２０５から検索して、表示部２０８に表示する機能。この機能により、作業現場に出向くことなく、作業対象とする光成端架の各ケーブル差込口の状態を把握することが可能になる。
【００４９】
・作業指示者によって入力部２０７から入力された、作業対象にする光成端架のＩＤと、作業対象にするケーブル差込口のＩＤと、作業種別とを含んだ作業対象光成端架情報と、ユニークな作業ＩＤとを関連付けて作業対象光成端架情報記憶部２０６に記録する機能。
【００５０】
・作業員の携帯端末装置などから送られてくる、作業ＩＤを含んだ作業指示要求に応答して、上記作業ＩＤに関連付けて記録されている光成端架ＩＤ、ケーブル差込口ＩＤおよび作業種別情報を作業対象光成端架情報記憶部２０６から検索し、検索した光成端架ＩＤの光成端架に対して、検索したケーブル差込口ＩＤおよび作業種別情報を含んだ作業指示を送信する機能。
【００５１】
作業指示者によって入力部２０７から入力された、更新対象にする実装情報を示す情報と更新後の内容を含む更新指示に従って、光成端架実装情報記憶部２０５に記録されている実装情報を更新する機能。その際、更新指示によって指示されている更新後の実装情報の内容が「運用中」または「抜去可」である場合は、更新前の実装情報の内容が「接続使用可」であるか否か判定し、「接続使用可」の場合は、更新指示で指示されている内容に更新し、そうでない場合は、更新内容に誤りがある恐れがあるので、表示部２０８にエラー表示を行い、作業指示者の更新指示の内容を確認させる。
【００５２】
次に本実施の形態の動作について詳細に説明する。
【００５３】
図１０を参照すると、管理装置２の作業指示者は、今回実施する作業についての作業対象光成端架情報を作成する（ステップＳ１０１）。
【００５４】
より具体的には、作業指示者は、先ず、今回作業を行うフロアーのフロアーＩＤを含んだフロアー図面作成指示を入力部２０７から入力する。これにより、制御部２０２は、フロアー情報記憶部２０４から上記フロアーＩＤに関連付けて記録されているフロアー情報に基づいて、そのフロアーに設置されている各光成端架の設置位置および光成端架ＩＤを示すフロアー図を作成し、表示部２０８に表示する。その後、作業員は、フロアー図面に基づいて、今回実施する作業で使用する光成端架を決定し、その光成端架ＩＤを含んだ検索指示を入力部２０７から入力する。これにより、制御部２０２は、上記光成端架ＩＤに関連付けて記録されている光成端架実装情報を光成端架実装情報記憶部２０５から検索し、表示部２０８に表示する。
【００５５】
その後、作業指示者は、今回行う作業が接続作業である場合には、実装情報が「未使用」となっているケーブル差込口の中から今回の接続作業において使用するケーブル差込口を決定し、そのケーブル差込口ＩＤと、既に決定している今回の作業において使用する光成端架のＩＤと、作業種別「接続」とを含んだ作業対象光成端架情報作成指示を入力部２０７から入力する。これにより、制御部２０２は、作業対象にする光成端架のＩＤと、作業対象にするケーブル差込口のＩＤと、作業種別「接続」とを含んだ作業対象光成端架情報を作成する共にユニークな作業ＩＤを生成する。その後、両者を関連付けて作業対象光成端架情報記憶部２０６に記録すると共に表示部２０８に表示する。一方、今回行う作業が抜去作業である場合には、実装情報が「抜去可」となっているケーブル差込口の中から光ケーブルを抜去するケーブル差込口を決定し、そのケーブル差込口ＩＤと、既に決定している今回の作業で使用する光成端架のＩＤと、作業種別「抜去」とを含んだ作業対象光成端架作成指示を入力部２０７から入力する。これにより、制御部２０２は、作業対象にする光成端架のＩＤと、作業対象にするケーブル差込口のＩＤと、作業種別「抜去」とを含んだ作業対象光成端架情報を作成すると共にユニークな作業ＩＤを生成する。その後、両者を関連付けて作業対象光成端架情報記憶部２０６に記録すると共に、表示部２０８に表示する。更に、作業指示者は、実際に作業を実施する作業員の携帯端末装置などに、上記作業ＩＤを送信し、作業員に作業ＩＤを知らせる。
【００５６】
作業員は、作業現場に出向くと、先ず、自身の携帯端末装置を用いて、管理装置２に対して今回行う作業を特定する作業ＩＤを含んだ作業指示要求を送信する（ステップＳ１０２）。尚、光成端架内に作業ＩＤを含んだ作業指示要求を管理装置２に対して送信する作業指示要求送信手段を組み込むようにしても良い。
【００５７】
管理装置２内の制御部２０２は、作業指示要求を受信すると、それに含まれている作業ＩＤに関連付けて記録されている光成端架ＩＤ、ケーブル差込口ＩＤ及び作業種別情報を作業対象光成端架情報記憶部２０６から検索する。その後、制御部２０２は、検索した光成端架ＩＤによって示される光成端架に対して、検索したケーブル差込口ＩＤおよび作業種別情報を含んだ作業指示を送信する（ステップＳ１０３）。今、例えば、受信した作業指示要求中の作業ＩＤが「ＳＩＤ１」で、作業対象光成端架情報記憶部２０６の内容が図９に示すものであるとすると、制御部２０２は、光成端架ＩＤが「ＨＩＤ１」の光成端架（光成端架１−１とする）に対して、ケーブル差込口ＩＤ「Ａ３２，Ａ３５」と作業種別情報「接続」とを含んだ作業指示を送信することになる。
【００５８】
光成端架１−１内の制御部１２１は、ネットワーク３及び送受信部１２０を介して上記作業指示を受信すると、ステップＳ１０４の処理を行う。ステップＳ１０４において、制御部１２１は、先ず、ランプ駆動部１２７に対して作業箇所ランプ１０１の点灯を指示する。これにより、ランプ駆動部１２７が、光成端架１−１の筐体前面上部に設けられている作業箇所ランプ１０１を点灯するので、作業員は、作業対象にする光成端架を間違いなく認識することができる。
【００５９】
次に、制御部１２１は、ＬＥＤ駆動部１２４に対して、作業指示に含まれていたケーブル差込口ＩＤ「Ａ３２，Ａ３５」と作業種別情報「接続」とを渡す。これにより、ＬＥＤ駆動部１２４は、図１１に示すように、ケーブル差込口ＩＤが「Ａ３２，Ａ３５」のケーブル差込口に対応するＬＥＤ１０５を、作業種別情報「接続」に応じた発光形態（例えば、発光色を黄色とする）で発光させる。つまり、第３行第２列に配置されているＬＥＤ１０５と、第３行第５列に配置されているＬＥＤ１０５が黄色に発光する。これにより、作業員は、発光しているＬＥＤ１０５に対応するケーブル差込口（第３行第２列及び第３行第５列に配置されているケーブル差込口）が作業対象となるケーブル差込口であり、作業種別が「接続」であると認識することができる。
【００６０】
その後、制御部１２１は、可視光駆動部１２３、レーザ駆動部１２５および遮断検出部１２６に対して、作業指示に含まれていた、作業対象にするケーブル差込口のＩＤ「Ａ３２，Ａ３５」を渡す。
【００６１】
これにより、可視光駆動部１２３は、ケーブル差込口１０４が配置されている各行、各列に対応する可視光線放射部１０８の内、作業対象にするケーブル差込口１０４が配置されていない行および列に対応する可視光線放射部１０８を駆動する。そして、駆動された可視光線放射部１０８は、可視光線を出力し、配線盤１０３上のケーブル差込口が配置されている行部分および列部分の内、作業対象にするケーブル差込口が配置されていない行部分および列部分を照明する。これにより、作業員は、作業対象にしてはいけないケーブル差込口１０４を認識することができる。
【００６２】
また、レーザ駆動部１２５は、作業対象にするケーブル差込口１０４が配置されていない行および列に対応するレーザ１０７を駆動する。また、遮断検出部１２６は、作業対象にするケーブル差込口１０４が配置されていない行、列に対応する受光素子１０９の中に、対向するレーザ１０７からのレーザ光を一定時間以上受光できなくなった受光素子が存在すること検出した場合、制御部１２１に対して遮断検出通知を出力する状態になる。従って、作業対象になっているケーブル差込口以外のケーブル差込口に光ケーブルを差し込もうとした作業員の手などによってレーザ光が遮断されることにより、所定時間以上、レーザ光を受光できなくなった受光素子が発生した場合は、遮断検出部１２６から制御部１２１に対して遮断検出通知が出力され、これに応答して制御部１２１がスピーカ駆動部１２８を制御してスピーカ１０２から警告音を出力させるので、作業員に誤作業を行いそうになったことを認識させることができる。なお、レーザ光を受光できくなった受光素子が発生した場合に直ちに警告音を発せずに、所定時間以上レーザ光を受光できなくなった受光素子が発生した場合に警告音を発するようにしたのは、光ケーブルなどによって短時間、レーザ光が遮断された場合には、警告音が発せられないようにするためである。
【００６３】
なお、管理装置２から送られてくる作業指示に含まれている作業種別情報が「抜去」であった場合にステップＳ１０４で行われる処理は、ＬＥＤ駆動部１２４がＬＥＤ１０５の発光形態を作業種別情報が「接続」の時とは異なるもの（例えば、発光色を橙）にする点以外は、作業種別情報が「接続」の場合と同様である。
【００６４】
ステップＳ１０４の処理が行われることにより、作業対象となる光成端架の作業箇所ランプ１０１が点灯し、作業対象となるケーブル差込口に対応するＬＥＤ１０５が作業種別に応じた発光形態で点灯し、作業禁止部分（マスク部分）が可視光線放射部１０８から出力される可視光線によって照明され、レーザ１０７から出力されるレーザ光線によって警告音発生領域が設定される。その後、作業員による光ケーブルの接続抜去作業が行われる。
【００６５】
作業員は、先ず、作業箇所ランプ１０１が点灯している、作業対象にする光成端架（例えば、光成端架１−１）を探す。その後、作業員は、点灯しているＬＥＤ１０５および可視光線によって照明されているマスク部分に基づいて作業対象にするケーブル差込口１０４を確認すると共に、ＬＥＤ１０５の発光色に基づいて作業種別が光ケーブルの接続なのか抜去なのかを確認する。その後、作業員は、作業種別が「接続」であるならば、予め光成端架１−１の下まで引かれている光ケーブルを、作業対象のケーブル差込口１０４に差し込む。また、作業種別が「抜去」である場合は、作業対象のケーブル差込口１０４から光ケーブルを抜去する。
【００６６】
作業員による作業時には、光成端架１−１において、次のような処理が行われる（ステップＳ１０５）。
【００６７】
光ケーブルの接続抜去作業時に、作業対象のケーブル差込口以外のケーブル差込口に光ケーブルを接続しようとしたり、作業対象のケーブル差込口以外のケーブル差込口から光ケーブルを抜去しようとしたりして、作業員の手などによって対向するレーザ１０７からのレーザ光を所定時間以上受光することができなくなった受光素子１０９が発生した場合は、遮断検出部１２６が制御部１２１に対して遮断検出通知を出力し、これに応答して制御部１２１がスピーカ駆動部１２８を制御してスピーカ１０２から警告音を出力させるという警告音発生処理が行われる。この警告音発生処理により、作業員に注意を促すことができる。また、ケーブル差込口１０４に光ケーブルが接続された場合は、差抜検出部１２２が接続検出通知（光ケーブルが接続されたケーブル差込口のＩＤを含む）を制御部１２１に対して出力し、制御部１２１が自光成端架のＩＤと、接続検出通知によって通知されたケーブル差込口のＩＤとを含んだ接続通知を管理装置２に対して送信するという処理が行われる。また、ケーブル差込口１０４から光ケーブルが抜去された場合は、差抜検出部１２２が抜去検出通知（光ケーブルが抜去されたケーブル差込口のＩＤを含む）を制御部１２１に対して出力し、制御部１２１が自光成端架のＩＤと、抜去検出通知によって通知されたケーブル差込口１０４のＩＤとを含んだ抜去通知を管理装置２に対して送信するという処理が行われる。以上がステップＳ１０５で行われる処理である。
【００６８】
管理装置２の制御部２０２は、光成端架１−１から接続通知が送られてきた場合は、それを表示部２０８に表示すると共に、光成端架実装情報記憶部２０５に記録されている実装情報の内の、上記接続通知に含まれている光成端架１−１のＩＤとケーブル差込口のＩＤとに関連付けて記録されている実装情報を「接続使用可」に更新する。また、光成端架１−１から抜去通知が送られてきた場合は、それを表示すると共に、光成端架実装情報記憶部２０５に記録されている実装情報の内の、上記抜去通知に含まれている光成端架１−１のＩＤとケーブル差込口のＩＤとに関連付けて記録されている実装情報を「未使用」に更新する（ステップＳ１０６）。
【００６９】
管理装置２の作業指示者は、表示部２０８に表示された接続通知や、作業対象光成端架情報記憶部２０６から読み出した該当する作業対象光成端架情報（ステップＳ１０２で送られてきた作業指示要求に含まれていた作業ＩＤと関連付けて記録されている作業対象光成端架情報）に基づいて、光成端架１−１におけるケーブル接続作業が完了したと判断すると、テスト担当者に対して、接続が完了した光ケーブルについてEND-TO-ENDでの疎通の正常確認テストを行うように指示する（ステップＳ１０７）。
【００７０】
そして、テスト結果に問題がない場合は、作業指示者は、入力部２０７から更新対象にする実装情報を示す情報（今回の接続作業で光ケーブルを接続したケーブル差込口のＩＤと、そのケーブル差込口を備えている光成端架１−１のＩＤ）と、更新後の内容「運用中」とを含んだ更新指示を入力する。制御部２０２は、更新後の内容が「運用中」となっている更新指示が入力された場合は、先ず、更新対象にしている実装情報が現時点で「接続使用可」になっているか否かを調べる。そして、「接続使用可」になっている場合は、該当する実装情報を「実装中」に更新する。これに対して、「接続使用可」となっていない場合は、更新指示中の更新対象を示す情報に誤りがある恐れがあるので、表示部２０８にその旨を表示する（ステップＳ１０８）。
【００７１】
また、管理装置２の作業指示者は、表示部２０８に表示された抜去通知や該当する作業対象光成端架情報に基づいて、光成端架１−１におけるケーブル抜去作業が完了したと判断すると、入力部２０７から更新対象にする実装情報を示す情報と、更新後の内容「未使用」とを含んだ更新指示を入力部２０７から入力する。制御部２０２は、更新後の内容が「未使用」となっている更新要求が入力された場合は、先ず、更新対象にしている実装情報が現時点で「接続使用可」になっているか否かを調べ、そして、「接続使用可」になっている場合は、該当する実装情報を「未使用」に更新し、「接続使用可」でなっていない場合は、更新指示中の更新対象を示す情報に誤りがある恐れがあるので、表示部２０８にその旨を表示する（ステップＳ１０８）。
【００７２】
その後、管理装置２の作業指示者は、入力部２０７から作業完了指示を入力する。この作業完了指示には、光ケーブルの接続抜去作業が完了した光成端架１−１のＩＤが含まれている。制御部２０２は、上記作業完了通知が入力されると、光成端架１−１に対して作業完了通知を送信する（ステップＳ１０９）。
【００７３】
光成端架１−１の制御部１２１は、作業完了通知を受信すると、可視光駆動部１２３、ＬＥＤ駆動部１２４、レーザ駆動部１２５およびランプ駆動部１２７に駆動動作停止を指示する。これにより、可視光線放射部１０８、ＬＥＤ１０５、レーザ１０７および作業箇所ランプ１０１が消灯する。更に、遮断検出部１２６に対して遮断検出動作の停止を指示する（ステップＳ１１０）。
【００７４】
尚、上述した実施の形態では、ケーブル収容装置として光成端架を例に挙げて説明したが、これに限られるものではない。
【００７５】
［第１の実施の形態の効果］
本実施の形態によれば、作業員が作業対象にするケーブル差込口を誤認識してしまう危険性を少なくすることができる。その理由は、作業対象にするケーブル差込口が配置されていない行、列を照明し、配線盤１０３上の作業禁止領域を明示する行、列照明手段として機能する可視光線放射部１０８を備えているからである。
【００７６】
また、本実施の形態は、各行、各列に対向配置されたレーザ１０７と受光素子１０９とから構成される行、列遮断検出手段を備え、作業対象とするケーブル差込口が配置されていない行、列に対応する行、列遮断検出手段の受光素子の何れかがレーザ光線を受光できなくなった場合、警報を発するようにしているので、作業員が誤接続、誤抜去を行いそうになった時、注意を促すことができる。
【００７７】
［本発明の第２の実施の形態］
次に、本発明の第２の実施の形態について説明する。前述した第１の実施の形態では、光成端架１−１に接続した光ケーブルについて、END-TO-ENDで疎通を確認した後、管理装置２から光成端架１−１に対して作業完了通知を送信して光成端架１−１のＬＥＤ１０５を全て消灯するようにした。これに対して、本実施の形態では、疎通を確認済みの光ケーブルが接続されているケーブル差込口に対応するＬＥＤ１０５の発光形態を「運用中」を示すものに変更することを特徴とする。本実施の形態と、第１の実施の形態との相違点は、図１０のステップＳ１０９およびステップＳ１１０の処理であるので、以下ではこの相違点についてのみ説明する。
【００７８】
管理装置２の作業指示者は、ステップＳ１０８の処理が終了すると、入力部２０７から作業完了指示を入力する。この作業完了指示には、光ケーブルの接続作業が完了した光成端架１−１のＩＤが含まれている。制御部２０２は、作業完了指示が入力されると、光成端架実装情報記憶部２０５を検索し、上記光成端架１−１のＩＤに関連付けて記録されているケーブル差込口のＩＤであって、実装情報が「運用中」になっているケーブル差込口のＩＤを求める。その後、制御部２０２は、上記求めたＩＤを含んだ作業完了通知を光成端架１−１へ送信する（ステップＳ１０９）。
【００７９】
光成端架１−１内の制御部１２１は、管理装置２から作業完了通知が送られてくると、可視光駆動部１２３、レーザ駆動部１２５およびランプ駆動部１２７に対して駆動動作停止を指示すると共に、遮断検出部１２６に対して検出動作の停止を指示する。これにより、光成端架１−１が備えている可視光線放射部１０８、レーザ１０７は、全て消灯する。更に、制御部１２１は、ＬＥＤ駆動部１２４に対して、作業完了通知に含まれていたケーブル差込口のＩＤを渡し、ＬＥＤ１０５の発光形態を「運用中」を示すものに変更することを指示する（例えば、発光色を緑にすることを指示する）。これにより、ＬＥＤ駆動部１２４は、制御部１２１から渡されたＩＤによって示されるケーブル差込口１０４に対応するＬＥＤ１０５を緑色で発光させる。
【００８０】
［第２の実施の形態の効果］
本実施の形態によれば、第１の実施の形態で得られる効果に加えて、ＬＥＤの発光色等の発光形態に基づいて、運用中の光ケーブルが接続されているケーブル差込口を認識することが可能になるという効果を得ることができる。その理由は、管理装置２から送られてくる、END-TO-ENDでの疎通を確認済みの光ケーブルが接続されているケーブル差込口のＩＤを含んだ作業完了通知に応答して、上記ＩＤによって示されるケーブル差込口に対応するＬＥＤの発光形態を「運用中」を示すものに変更するようにしているからである。
【産業上の利用可能性】
【００８１】
本発明は、光成端架などのように、ケーブルを収容するケーブル収容装置に適用することができる。
【符号の説明】
【００８２】
１−１〜１−ｎ・・・光成端架
１０１・・・作業箇所ランプ
１０２・・・スピーカ
１０３・・・配線盤
１０４・・・ケーブル差込口
１０５・・・ＬＥＤ
１０６・・・開口部
１０７・・・レーザ
１０８・・・可視光線放射部
１０９・・・受光素子
１１０・・・センサ
１２０・・・送受信部
１２１・・・制御部
１２２・・・差抜検出部
１２３・・・可視光駆動部
１２４・・・ＬＥＤ駆動部
１２５・・・レーザ駆動部
１２６・・・遮断検出部
１２７・・・ランプ駆動部
１２８・・・スピーカ駆動部
２・・・管理装置
２０１・・・送受信部
２０２・・・制御部
２０３・・・記憶装置
２０４・・・フロアー情報記憶部
２０５・・・光成端架実装情報記憶部
２０６・・・作業対象光成端架情報記憶部
２０７・・・入力部
２０８・・・表示部
３・・・ネットワーク
【図１】
0005696600.tif 000002
【図２】
0005696600.tif 000003
【図３】
0005696600.tif 000004
【図４】
0005696600.tif 000005
【図５】
0005696600.tif 000006
【図６】
0005696600.tif 000007
【図７】
0005696600.tif 000008
【図８】
0005696600.tif 000009
【図９】
0005696600.tif 000010
【図１０】
0005696600.tif 000011
【図１１】
0005696600.tif 000012
【図１２】
0005696600.tif 000013